(57)【要約】【課題】従来からのピンシリンダー型の錠装置に改良を加えたものであり、その操作性及び取付性を格段に向上させたピンシリンダー型錠装置を低廉なコストで提供することを目的とする。【解決手段】略円筒状をなすハウジングと、揺動するスライドユニットと、複数のピン群との組み合わせによりシアラインをあわせて行わせるシリンダー機構と、スライドユニットを塞ぐ蓋部材とを有し、揺動したスライドユニットによりベースを回転可能とし、施解錠部の回転により施解錠状態とするピンシリンダー型錠装置であり、略円筒状をなすハウジング外周にはスライドカバー部材が被嵌され、スライドカバー部材は施解錠操作時に、サブキー挿入口を塞いでサブキー交換を阻止してなり、ハウジングの表面側には、回転軸側に設けられた施解錠操作軸の回転操作角度を変更可能にする回転変更部材が設けられたことを特徴とする。【選択図】              図１
2014074268.tif 000002
【特許請求の範囲】
【請求項１】
略円筒状をなすハウジングと該ハウジング内に収納されるベースとベースに嵌合し、ベースの一方向に進退可能に揺動するスライドユニットと、前記スライドユニットの揺動を、メインキー及びサブキーに設けられた複数の穴、該複数の穴内に移動する複数のピン群との組み合わせによりシアラインをあわせて行わせるシリンダー機構と、前記ベースに嵌合したスライドユニットを塞ぐ蓋部材とを有し、前記揺動したスライドユニットにより、ベースを回転可能とし、前記ベースの回転軸部に設けられた施解錠部の回転により施解錠状態とするピンシリンダー型錠装置であり、
前記略円筒状をなすハウジング外周には、略円筒状のスライドカバー部材が被嵌され、該スライドカバー部材は、施解錠操作時に、サブキー挿入口を塞いで、サブキー交換を阻止してなり、
前記ハウジングの表面側には、該ハウジングの回転軸側に設けられた施解錠操作軸の回転操作角度を変更可能にする回転変更部材が設けられた、
ことを特徴とするピンシリンダー型錠装置。
【発明の詳細な説明】
【技術分野】
【０００１】
本発明は、ピンシリンダー型の錠装置に関するものである。
【背景技術】
【０００２】
近年、震災などの災害の発生によって生ずる停電などから電力供給が緊急停止し、この電力緊急停止より発生する諸問題がクローズアップされている。
例えば自家発電装置を備えていないビルやホテルなどにおいては、停電による電力供給緊急停止が様々な障害をもたらす。
【０００３】
近年、電力によって錠装置の施解錠を行ういわゆる電気錠が脚光を浴びているが、この電気錠についても例えば停電による電力供給緊急停止により全く施解錠できなくなり、そのため部屋に閉じ込められたり、部屋に入れなくなったりとの不具合が生じている。
【０００４】
よって、最近、前記電気錠に替わり、機械的な構造をなすピンシリンダー型の錠装置が再注目され、見直されてきている現状がある。
【０００５】
特にキーを変更できるいわゆる可変シリンダーは、キーの使用者が代わった場合やキーの紛失時には容易にキーを変更できる。また、同一シリンダー（同じキーで解錠できる）にして管理をし易くすることも容易に可能なので、近年、需要が増えてきている。
【先行技術文献】
【特許文献】
【０００６】
【特許文献１】特開昭５３−１４６８９９号公開公報
【発明の概要】
【発明が解決しようとする課題】
【０００７】
ここで、従来の機械的なピンシリンダー型の錠装置につき、その構成を簡単に説明すると、例えば、板状をなすカード（メインキー）の決められた位置に複数穴を開けてキー（鍵違い）とし、ピンシリンダー側には前記メインキーの対となるカード（サブキー）をセットして、固有のシリンダーとし、前記キーとシリンダーとがメインキーとサブキーとを交換することにより鍵を可変出来る可変方式としてあり（参照Vingcard：現在はICカード方式が一般的であるが、世界中のホテルロック用として主に普及した。現在震災の教訓から機械式のこの方式が見直されている。）、特に前記サブキーを交換することにより、簡単にキーチェンジができるメリットがある構成とされているものである。そして、現在我が国でも賃貸物件などに広く用いられる錠装置となっている。
【０００８】
このいわゆるコードユニット方式を用いたピンシリンダー型の錠装置は、過去に複数製品化されているが、前記コードユニット方式を用いたピンシリンダー型の錠装置は、当該錠装置のいわゆる本体部分を外してサブキーを交換するか、あるいはサブキーの挿入口を開閉するために別にキーシリンダーを設けるものしか存在しなかった。
【０００９】
前者の場合は、外すための工具が必要となり、簡単に交換することが出来ない。また後者の場合は、製品の防犯性能が、キーシリンダーの防犯性能とイコールとなり、本来のコードユニットの防犯性能とは異なるとの問題がある。
【００１０】
そこで本発明は、サブキーの挿入口を覆うためのスライドカバー部材を用いて、そのスライドカバー部材が解錠時にのみ奥方向へスライドして挿入口が現れる機構とすると共に、また、サブキーをセットあるいは交換して新規のメインキーで解錠、あるいは施錠操作（どちらかに９０度回転）すると、スプリングで自動的にスライドカバー部材は手前方向の元の位置に戻り、サブキーの挿入口は塞がってしまう機構としたものである。
【００１１】
さらに、セットする錠本体の構造上、メインキーは上から挿入して操作するものであり、またその操作回転角度は、時計で表現すると１２時の位置から右９０度の３時の位置と、左９０度の９時の位置の範囲（１８０度）となる。
【００１２】
ここで、例えば、本件の錠装置が一般的な高さより上よりについているときなどを想定すると、メインキーを上から挿す構造のために、高齢者や子供がきわめて挿入し辛い状況となっている。
【００１３】
また本件の錠装置を取り付ける扉は外開き、内開き、左勝手、右勝手と様々であり、このように扉の設置状況により、それに取り付ける錠装置が１２時を中心に３時と９時の位置のみを操作回転とした場合、操作し辛い、あるいは操作できない場合が発生することにもなる。
【００１４】
そこで本発明では、キーを挿入して操作するシリンダー部分と錠装置の錠本体とを接続する中間部分にマウントピース部品とマウント回転子部品を設けて、その接続角度を自由に選択できる構造とすることで、操作範囲の前記従来の時計で表現すると１２時の位置から右９０度の３時の位置と、左９０度の９時の位置の範囲（１８０度）を自由に決められることとした。
【００１５】
例えば、時計の３時から９時の範囲で、時計の６時を中心とした下半分の操作範囲とすることもできるし、時計の１時半から７時半の範囲で、時計の４時半を中心とする１８０度の範囲にすることもできる様にしたものである。
【００１６】
このように、本発明は従来からのピンシリンダー型の錠装置に前述したような改良を加えたものであり、その操作性及び取付性を格段に向上させたピンシリンダー型錠装置を低廉なコストで提供することを目的とするものである。
【課題を解決するための手段】
【００１７】
本発明によるピンシリンダー型錠装置は、  
略円筒状をなすハウジングと該ハウジング内に収納されるベースとベースに嵌合し、ベースの一方向に進退可能に揺動するスライドユニットと、前記スライドユニットの揺動を、メインキー及びサブキーに設けられた複数の穴、該複数の穴内に移動する複数のピン群との組み合わせによりシアラインをあわせて行わせるシリンダー機構と、前記ベースに嵌合したスライドユニットを塞ぐ蓋部材とを有し、前記揺動したスライドユニットにより、ベースを回転可能とし、前記ベースの回転軸部に設けられた施解錠部の回転により錠本体を施解錠状態とするピンシリンダー型錠装置であり、
前記略円筒状をなすハウジング外周には、略円筒状のスライドカバー部材が被嵌され、該スライドカバー部材は、施解錠操作時に、サブキー挿入口を塞いで、サブキー交換を阻止してなり、
前記ハウジングの表面側には、該ハウジングの回転軸側に設けられた施解錠操作軸の回転操作角度を変更可能にする回転変更部材が設けられた、
ことを特徴とするものである。
【発明の効果】
【００１８】
かくして、本発明によれば、サブキーの挿入口を覆うためのスライドカバー部材を用いて、そのスライドカバー部材が解錠時にのみ奥方向へスライドして挿入口が現れる機構とすると共に、また、サブキーをセットあるいは交換して新規のメインキーで解錠、あるいは施錠操作（どちらかに９０度回転）すると、スプリングなどで自動的にスライドカバー部材は手前方向の元の位置に戻り、サブキーの挿入口は塞がってしまう機構とすると共に、セットする錠本体の構造上、メインキーは上から挿入して操作するものとなっており、その操作回転角度は、時計で表現すると１２時の位置から右９０度の３時の位置と、左９０度の９時の位置の範囲（１８０度）となっているが、錠装置が一般的な高さより上よりについているときなどを想定すると、メインキーを上から挿す構造のために、高齢者や子供がきわめて挿入し辛い状況となっていたり、錠装置を取り付ける扉は外開き、内開き、左勝手、右勝手と様々であり、このように扉の設置状況により、それに取り付ける錠装置が１２時を中心に３時と９時の位置のみを操作回転とした場合、操作し辛い、あるいは操作できない場合が発生することにもなる。そこで、キーを挿入して操作するシリンダー部分と錠装置の錠本体とを接続する中間部分にマウントピース部品とマウント回転子部品を設けて、その接続角度を自由に選択できる構造とすることで、操作範囲の前記従来の時計で表現すると１２時の位置から右９０度の３時の位置と、左９０度の９時の位置の範囲（１８０度）を自由に決められる構造とし、もって、操作性及び取付性を格段に向上させたピンシリンダー型錠装置を低廉なコストで提供出来るとの優れた効果を奏するものである。
【図面の簡単な説明】
【００１９】
【図１】ハウジングの内側の構成を説明する説明図である。
【図２】ベースの構成を説明する説明図（１）である。
【図３】ベースの構成を説明する説明図（２）である。
【図４】ベースの裏面側の構成を説明する説明図である。
【図５】スライドユニットの構成を説明する説明図である。
【図６】蓋部材の構成を説明する説明図である。
【図７】組み立てられた蓋部材とベースの一方側の側面を示して説明する説明図である。
【図８】組み立てられた蓋部材とベースの他方側の側面を示して説明する説明図である。
【図９】メインキー及びサブキーの構成を説明する説明図である。
【図１０】ベースの外周面を説明する説明図である。
【図１１】スライドカバー部材の構成を説明する説明図である。
【図１２】スライドカバー部材の取り付け状態を説明する説明図（１）である。
【図１３】スライドカバー部材の取り付け状態を説明する説明図（２）である。
【図１４】ハウジングの表面側の面に取り付けられるマウントピース及びハウジングの外側の外観を説明する説明図である。
【図１５】施解錠を行うためのシアラインをあわせる動作を説明する動作説明図である。
【発明を実施するための形態】
【００２０】
以下、本発明を図に示す実施例に基づいて説明する。
【実施例１】
【００２１】
まず、図１に本発明の主要な構成部材であるハウジング１の内側を示す。該ハウジング1は金属製からなり、略円盤ケース状をなして一方側の端面は開口されてなり、他方側の塞がれている端面中央には透孔２が穿設されている。また透孔２の周囲には、リング状の凸部３が形成されていると共に、その凸部３の所定箇所には凹状の切り欠き部４がリング状の凸部３の幅方向に向かって、前記凸部３を切り欠く様形成されている。
【００２２】
図２、図３には、前記ハウジング１の内側に嵌合する円盤形状をなすベース５を表面側から示したものである。当該ベース５は合成樹脂材により構成され、このベース５には、前記ハウジング１の前記凸部３に遊嵌するリング状の凹溝部６が設けられ、かつ該凹溝部６の所定箇所には該凹溝部６を横切って移動する移動片７が嵌合する貫通孔１１が設けられている。
【００２３】
そして、この移動片７は後述するスライドユニット８に設けられたものであり、スライドユニット８はベース５の裏面側に取り付けられており、移動片７は、スライドユニット８の揺動と共に一体的に前記貫通孔１１内長手方向に向かって移動するよう構成されている。
【００２４】
なお、中央の円柱状をなす部材は施解錠用操作接続杆９である。該施解錠用操作接続杆９の先端面には十字溝４２が設けられており、該十字溝４２内には後述する調節ドライバー３９がはめ込まれる。この施解錠用操作接続杆９の機能については後述する。
【００２５】
図４はベース５の裏面側を説明するものであり、裏面の両側には、ガイド壁１２、１２が設けられ、このガイド壁１２、１２間の面は操作面１３として機能するものであり、該操作面１３にはマトリックス状にピン挿入用穴１０・・・・が複数穿設されている。さらにこの操作面１３の上方位置には、前述した表裏面に貫通する方形状の貫通孔１１が設けられ、該貫通孔１１内において前記したスライドユニット８の移動片７が遊嵌されその中を移動出来る様構成されている。
【００２６】
図５に前記操作面１３に添設されて取り付けられるスライドユニット８を示す。
該スライドユニット８はベース５における一対のガイド壁１２、１２間に収まる幅を有し、ガイド壁１２、１２の長手方向に沿って揺動するよう構成されている。そして、先端側には前述した移動片７が突設されており、該移動片７は前記ベース５の貫通孔１１に収納されてその中を移動するものとなる。従って、スライドユニット８の揺動幅は前記移動片7の貫通孔１１内での幅内ということになる。
【００２７】
スライドユニット８の面部にはやはりマトリックス状にピン挿入用穴１０・・・・が複数穿設されている。
なお、このスライドユニット８は、前記ベース８がハウジング１の内部に収納されて組み立てられたとき、ハウジング１の前記切り欠き部４に前記移動片７が嵌合し、ハウジング１の回転が阻止されるよう構成される。そして、この回転阻止動作によって本件錠装置の施錠操作が出来ることになる。
【００２８】
図６にスライドユニット８が組み入れられたベース５を塞ぐ蓋部材４０を示す。蓋部材４０に設けられた係止突起１４、１４がベース５に設けられた係止穴１５、１５（図４参照）に嵌入し、蓋部材４０とベース８とが一体化されて組み立てられる。
【００２９】
図７は、組み立てられた蓋部材４０とベース５の一方側の側面を示したもので、該側面には一対のガイド壁１２、１２間に移動可能にして取り付けられたスライドユニット８の先端面１６が可視できる第１操作部１７が形成されている。そして、このスライドユニット８の先端面１６（図5参照）側には図９に示す基面に複数の操作穴４１・・・が設けられたメインキー２２が挿入されて操作されるメインキー挿入口２３が形成されている。
【００３０】
また、図８は、組み立てられた蓋部材４０とベース５の他方側の側面を示したもので、該他方側の側面には一対のガイド壁１２、１２間に移動可能にして取り付けられたスライドユニット８の他端面２０が可視できる第２操作部２１が形成されている。そして、前記可視できるスライドユニット８の他端面２０には図９に示す基面に複数の操作穴４１・・・が設けられたサブキー１８挿入用の挿入口１９が形成されている。
【００３１】
ところで、図１０に示す様に、ベース８の外周端面には、外周方向に向かって延びる突条２４が、前記サブキー１８とメインキー２２を挿し込む挿入口１９，２３に対応し、かつその長さとほぼ同様の長さにして設けられている。よって、前記突条２４を外周方向で2カ所において繋げていない突条不連続部２５，２５が形成されるものとなる。
【００３２】
図１１はスライドカバー部材２６を示すものであり、該スライドカバー部材２６は、略円筒状をなし、ハウジング１の外周側に被嵌し、ハウジング１の外側面に取り付けられる。また、スライドカバー部材２６には一方側の端面から各々スライドカバー部材26の軸心方向に向かって張り出した方形状の張り出し片２７，２７が設けられている。
【００３３】
図１２に示す様に、前記スライドカバー部材２６は、ハウジング１の外周に被嵌され、前記張り出し片２７、２７は突条不連続部２５，２５から突条２４、２４の奥側に形成された第１摺動溝３６側に移動し、スプリングなどの押圧部材によってたえず蓋部材４０側へ押され、サブキー１８を挿入する挿入口１９を塞ぐ機能を果たすものとなっている。
【００３４】
図１３は、スライドカバー部材２６を蓋部材40とは反対側、すなわち本件の錠装置が取り付けられる扉側へ押圧し、サブキー１８の挿入口１９を露出した状態を示したものである。このようにサブキー18の挿入口１９を露出出来る様スライドカバー部材２６を押圧してスライド出来るのは後述する場合となる。
【００３５】
次に図１４に、ハウジング１の表面側の面に取り付けられるマウントピース２８及びハウジング１の外側の外観図を示す。該マウントピース２８は、図示したハウジング１の外周側に所定の間隔をあけてリング状に穿設された取り付け孔２９・・・に対向するよう穴３０・・・が設けられた円状張り出し部３１と、前記ベース５に設けられた施解錠用操作接続杆９を内部に収納できるよう構成された筒状収納部３２とを有して構成されている。
【００３６】
そして、前記筒状収納部３２の先端面には、前記施解錠用操作接続杆９の操作角度を調節できるようにした施解錠用のドライバー３８つき回転調節部材３３が設けられている。
【００３７】
以上において、本発明による錠装置の動作につき説明する。
【００３８】
図１５から理解されるように、挿入口19にサブキー１８を挿入し、かつメインキー挿入口２３にメインキー２２を挿入し、ベース5とスライドユニット８の操作面１３に複数設けられたピン挿入用穴１０・・・に挿入された複数の操作ピン類３４・・・を上下動させ、もってシアライン３５を阻止する操作ピン類３４・・・をなくす。このように、シアライン３５をフリーにすることにより、スライドユニット８はメインキーの挿入方向へ移動する。
【００３９】
すると、スライドユニット８の移動片７が貫通孔１１内において移動し、ハウジング１の切り欠き部４に該移動片７が嵌合する。これにより施解錠操作ができる構造となる。
【００４０】
すなわち、シアライン３５を阻止する操作ピン類３４がなければスライドユニット8が揺動し、この揺動に伴って移動片７が貫通孔１１内で移動し、この移動に伴って、切り欠き部４に移動片７が嵌合し、もってハウジング１とベース５が回転できるようになり、これによりベース５に設けられた施解錠用のドライバー３８（図14参照）が９０度回転し、これに連結された施錠部材によって施解錠操作ができることになる。
【００４１】
ここで、シアライン３５をあわせるべく複数の操作ピン類３４・・・を移動させるのは、前記の様にサブキー18とメインキー２２の挿入によってである。
【００４２】
ところで、通常は上方からメインキー２２をメインキー挿入口２３に挿し込み、下側へ押す。すると、前述のシアライン３５がフリーになると共に、前記切り欠き部４に移動片７が嵌合する。その状態からメインキー２２を持ちながら９０度左右のいずれかの方向へ回転させる。
【００４３】
すると、施解錠操作接続杆９などに連結している施錠部材が作動し、施錠状態にする。施錠状態になった後、再びメインキー２２を９０度回転させて元の上方位置に戻し、その状態でメインキー２２を抜く。
これで、本件の錠装置は施錠されることになる。
【００４４】
次に、解錠する場合は、再び上方位置からメインキー２２をメインキー挿入口２３に挿し込み、今度は施錠した方向とは逆の方向へ９０度回転させる。
【００４５】
すなわち、施錠するとき、右側方向である時計の３時方向へ回転させたときは、逆に左側である時計の９時方向へ回転させる。すると、錠は解錠される。次いで再びメインキー２２を元の上方位置に戻し、該メインキー２２を抜き取ればよい。
【００４６】
ところで、１枚のサブキー１８と複数枚のメインキー２２とはセットになっており、所定の位置に所定の操作穴４１・・・を複数有する１枚のサブキー18に対し、セットになる所定の位置に所定の操作穴４１・・・を複数有するメインキー２２を複数枚用意することにより簡単に複数の鍵違いを作ることが出来る。
【００４７】
しかし、決められた所定の位置に所定の操作穴４１・・・を複数有するサブキー１８を別のサブキー１８に変更すると、今まで使用していた複数枚のメインキー２２は使用できなくなってしまい、そのサブキー18とセットになっている別の対となる複数枚のメインキー２２を挿し込んで使用することになる。
【００４８】
すなわち、このことは、サブキー１８自体を別のサブキーに変更できれば、今までのメインキー２２がなくとも、別のメインキー２２を使用して解錠できてしまうことを意味する。
【００４９】
よって、本件の錠装置が施錠されているとき、サブキー１８を交換出来ないようにすることが重要なのである。
【００５０】
そのため、本件発明では、スライドカバー部材２６を設け、施錠時には、サブキー18の挿入口１９を塞ぐものとしたのである。
【００５１】
ここで、サブキー１８を交換する場合は、対となるメインキー２２で扉などに取り付けられた、ハウジング１、ベース5，スライドユニット８、蓋部材４０などで構成されている錠本体を９０度回転させた位置にし、予めスプリング部材などで手前側（蓋部材４０側）に付勢力を持って取り付けられたスライドカバー部材２６を押してサブキー１８の挿入口１９を開いたまま、一旦錠本体を回転させ、元の位置に戻す。この時サブキー１８の挿入口１９は露出したままの状態を保持する。
【００５２】
ここで、ハウジング１の外周に被嵌されたスライドカバー部材２６の移動は、前述した張り出し片２７、２７が突条不連続部２５，２５から突条２４、２４の奥側（施解錠用操作接続杆９側）に形成された第１摺動溝２８に移動することにより行われ、もってサブキー１８を挿入する挿入口１９を露出させることになる
【００５３】
そして、サブキー１８を挿入する挿入口１９を露出させた状態で、メインキー２２を抜き、次にサブキー１８を抜く。その後、新しいサブキー１８を挿入口１９から挿入する。さらに、新しいメインキー２２をメインキー挿入口２３から挿入して９０度回転させる（どちらの方向でも可）。
【００５４】
すると、スライドカバー部材２６はバネにより元の位置に戻り、前記したスライドカバー部材２６の張り出し片２７、２７が突条２４の手前側の溝（蓋部材４０側の溝）、すなわち第２摺動溝３７側に移動するものとなる。そして、スライドカバー部材２６を押してもサブキー18の挿入口19は露出されないものとなる。
【００５５】
次に、本件錠装置における操作回転角度対策について説明する。
【００５６】
セットする錠本体の構造上、メインキー２２は前述のように上方から下に向かって垂直に挿入してから回転操作し、施解錠するよう構成されている。
【００５７】
そして、その操作回転角度は、時計で表現すると１２時の位置から右９０度の３時の位置と、左９０度の９時の位置の範囲（１８０度の範囲）となること既に説明した。
【００５８】
ここで、錠が一般的な高さより上よりについているときは、カードを上から挿すためには、高齢者や子供が挿入し辛い状況となる。また本件の錠装置が取り付けられる扉の態様は一定ではなく、外開き扉、内開き扉、左勝手扉、右勝手扉と様々である。
【００５９】
このように扉の設置状況により、時計の１２時の位置を中心に３時と９時の位置のみを操作回転とした場合、操作し辛い、あるいは操作できない場合が多々発生することになる。
【００６０】
そこで本発明では、いわゆるシリンダー機構の部分と錠本体部とを接続する中間部分、すなわちハウジング１の表面側にマウントピース２８とマウント回転子部品となる回転調節部材３３を設けて、その接続角度を自由に選択できる構造とすることで、操作範囲の１８０度を自由に決められることとしたのである。
【００６１】
例えば、時計の３時の位置から９時の位置の、いわゆる時計の６時を中心とした下半分の操作範囲とすることもできるし、時計の１時半の位置から７時半の位置の範囲で、時計で示す４時半を中心とする１８０度の範囲にすることもできるものとした。
【００６２】
回転角度の変更は、図１３に示すように、ハウジング１の表面に、所定間隔をあけてリング状に設けられた複数個の取り付け孔２９・・・とマウントピース２８に、やはり所定間隔をあけてリング状に設けられた複数個の穴３０・・・とを用い、これら複数の取り付け孔２９・・・に対しマウントピース２８を所定の角度に回転させた後、マウントピース２８側の穴３０・・・を、前記取り付け孔２９にあわせてビスなどを螺合して取り付けるものとなる。
【００６３】
すなわち、通常、施解錠操作は、いわゆるドライバー３８（図１３参照）が垂直方向に位置する箇所から左右に９０度回転すると施錠状態となる。
【００６４】
したがって、通常、メインキー２２は上から上方から下側垂直方向に挿し、その状態から左右へ９０度回転させて施解錠操作を行うのであるが、前述したように、錠が一般的な高さより上よりについているときは、カードを上から挿すためには、高齢者や子供が挿入し辛い状況となる。よって下から上に向かって挿せるよう構成することが必要となる。
【００６５】
その場合、メインキー２２を挿し込むメインキー挿入口２３が設けられたスライドユニット８、ベース５やハウジング１で構成されたシリンダー機構の部分を１８０度回転させて取り付ける必要が生じるのである。
【００６６】
また本件の錠装置が取り付けられる扉の態様は一定ではなく、外開き扉、内開き扉、左勝手扉、右勝手扉と様々である。よって、前述したように、メインキー２２を挿し込んで操作する操作角度を時計の１時半の位置から７時半の位置の範囲で、時計で示す４時半を中心とする１８０度の範囲にすることも必要になることがある。
【００６７】
そこで、メインキー２２を挿し込むメインキー挿入口２３が設けられたスライドユニット８、ベース５やハウジング１で構成されたシリンダー機構の部分を下から上に向かって挿せるよう１８０度回転させ、その回転させた状態でマウントピース２８側の穴３０・・・とハウジング１側の取り付け孔２９・・・とをあわせてマウントピース２８を取り付ければよいのである。
【００６８】
そして、ベース５と連動して回転する施解錠用操作接続杆６と中間部材である回転調節部材３３とを調節ドライバー３９により調節して接続することで、施解錠操作を行うドライバー３８の位置を常に垂直位置から水平位置の回転にさせることが出来るものとなる。
【符号の説明】
【００６９】
１      ハウジング
２      透孔
３      凸部
４      切り欠き部
５      ベース
６      凹溝部
７      移動片
８      スライドユニット
９      施解錠用接続杆
１０    ピン挿入用穴
１１    貫通孔
１２    ガイド壁
１３    操作面
１４    係止突起
１５    係止穴
１６    スライドユニットの先端面
１７    第１操作部
１８    サブキー
１９    挿入口
２０    スライドユニットの他端面
２１    第2操作部
２２    メインキー
２３    メインキー挿入口
２４    突条
２５    突条不連続部
２６    スライドカバー部材
２７    張り出し片
２８    マウントピース
２９    取り付け孔
３０    穴
３１    円状張り出し部
３２    筒状収納部
３３    回転調節部材
３４    操作ピン類
３５    シアライン
３６    第1摺動溝
３７    第2摺動溝
３８    ドライバー
３９    調節ドライバー
４０    蓋部材
４１    操作穴
４２    十字溝
【図１】
2014074268.tif 000003
【図２】
2014074268.tif 000004
【図３】
2014074268.tif 000005
【図４】
2014074268.tif 000006
【図５】
2014074268.tif 000007
【図６】
2014074268.tif 000008
【図７】
2014074268.tif 000009
【図８】
2014074268.tif 000010
【図９】
2014074268.tif 000011
【図１０】
2014074268.tif 000012
【図１１】
2014074268.tif 000013
【図１２】
2014074268.tif 000014
【図１３】
2014074268.tif 000015
【図１４】
2014074268.tif 000016
【図１５】
2014074268.tif 000017